(57)【要約】【課題】  バイヤの購入希望の発生を契機として共同購買案件を発生させることができ、かつ、異種商品・役務に対する共同購買を行う逆オークション方法、コンピュータプログラム及び装置を提供すること。【解決手段】  本発明にかかる逆オークション方法は、複数のバイヤ端末２から購入希望条件を受信するステップ、受信した購入希望条件から共同購買候補とする前記購入希望条件を選出するステップ、少なくとも先のステップで選出された購入希望条件を有するバイヤ端末２に対して共同購買への参加募集を送信するステップ、逆オークションへの参加を希望するバイヤ端末２から共同購買参加募集に対する応答を受信するステップ、受信した応答に基づいて、共同購買逆オークションの開始条件を決定するステップ、決定した開始条件に基づいて逆オークションを実施するステップを含む。【選択図】  図１
2005301782.tif 000002
【特許請求の範囲】
【請求項１】
複数のバイヤ端末及び複数のサプライヤ端末にネットワークを介して接続されたサーバ装置による逆オークション方法であって、
前記サーバ装置が、前記複数のバイヤ端末から購入希望条件を受信して購入希望条件記憶手段に記憶する第１のステップと、
前記サーバ装置が、前記購入希望条件記憶手段に記憶された購入希望条件から、共同購買の候補とする購入希望条件を選出する第２のステップと、
前記サーバ装置が、少なくとも前記第２のステップで選出された購入希望条件に対応するバイヤのバイヤ端末に対して共同購買への参加募集を送信する第3のステップと、
前記サーバ装置が、前記第3のステップで通知した共同購買参加募集に対する参加応答を、逆オークションへの参加を希望するバイヤのバイヤ端末から受信し、共同購買案件記憶手段に記憶する第４のステップと、
前記サーバ装置が、前記共同購買案件記憶手段に記憶された参加応答に基づいて、逆オークションの開始条件を決定する第５のステップと、
前記サーバ装置が、前記開始条件に基づいて逆オークションを実施して、落札サプライヤを決定する第６のステップと、
を含む逆オークション方法。
【請求項２】
前記第１のステップで前記購入希望条件記憶手段に記憶される購入希望条件は、少なくとも希望商品・役務の名称及び逆オークション開催希望期間を含み、
前記第２のステップにおいて、前記サーバ装置が共同購買候補を選出する際に、前記購入希望条件記憶手段に記憶された購入希望条件に含まれる希望商品・役務の名称及び逆オークション開催希望期間に基づいて、共同購買候補とする購入希望条件を選出する、請求項１に記載の逆オークション方法。
【請求項３】
前記第３のステップにおいて、前記サーバ装置が共同購買への参加募集を送信する際に、全ての前記バイヤ端末に対して送信する、請求項１に記載の逆オークション方法。
【請求項４】
前記第１のステップの後、かつ前記第２のステップの前に、前記サーバ装置が、前記購入希望条件記憶手段に記憶された購入希望条件を複数の前記サプライヤ端末に通知するステップと、
逆オークションへの参加を希望するサプライヤの参加応答を前記サプライヤ端末から受信するステップとをさらに有し、
前記第２のステップにおいて、前記サーバ装置が、少なくとも前記サプライヤの参加応答にもとづいて、共同購買候補とする前記購入希望条件を選出する、請求項１に記載の逆オークション方法。
【請求項５】
前記第５のステップの後、かつ前記第６のステップの前に、前記サーバ装置が、前記第５のステップにおいて共同購買の対象となったバイヤのバイヤ端末に対して共同購買の実施に対する承認依頼を送信するステップと、
前記サーバ装置が、前記バイヤ端末から共同購買に対する承認応答を受信するとともに、前記承認応答のあったバイヤに関する購入希望条件にもとづいて、前記逆オークションの開始条件を更新するステップをさらに含む、請求項１ないし請求項４のいずれかに記載の逆オークション方法。
【請求項６】
複数のバイヤ端末及び複数のサプライヤ端末にネットワークを介して接続されたコンピュータに、逆オークションを行うための処理を実行させるコンピュータプログラムであって、前記処理は、
前記複数のバイヤ端末から購入希望条件を受信して購入希望条件記憶手段に記憶する第１のステップと、
前記購入希望条件記憶手段に記憶された購入希望条件から、共同購買の候補とする購入希望条件を選出する第２のステップと、
少なくとも前記第２のステップで選出された購入希望条件に対応するバイヤのバイヤ端末に対して共同購買への参加募集を送信する第3のステップと、
前記第3のステップで通知した共同購買参加募集に対する参加応答を、逆オークションへの参加を希望するバイヤのバイヤ端末から受信し、共同購買案件記憶手段に記憶する第４のステップと、
前記共同購買案件記憶手段に記憶された参加応答に基づいて、逆オークションの開始条件を決定する第５のステップと、
前記開始条件に基づいて逆オークションを実施して、落札サプライヤを決定する第６のステップと、
を含むコンピュータプログラム。
【請求項７】
前記第１のステップで前記購入希望条件記憶手段に記憶される購入希望条件は、少なくとも希望商品・役務の名称及び逆オークション開催希望期間を含み、
前記第２のステップにおいて、共同購買候補を選出する際に、前記購入希望条件記憶手段に記憶された購入希望条件に含まれる希望商品・役務の名称及び逆オークション開催希望期間に基づいて、共同購買候補とする購入希望条件を選出する、請求項６に記載のコンピュータプログラム。
【請求項８】
前記第３のステップにおいて、前記参加募集を送信する際に、全ての前記バイヤ端末に対して送信する、請求項６に記載のコンピュータプログラム。
【請求項９】
前記第１のステップの後、かつ前記第２のステップの前に、前記購入希望条件記憶手段に記憶された購入希望条件を複数の前記サプライヤ端末に通知するステップと、
逆オークションへの参加を希望するサプライヤの参加応答を前記サプライヤ端末から受信するステップとをさらに有し、
前記第２のステップにおいて、少なくとも前記サプライヤの参加応答にもとづいて、共同購買候補とする前記購入希望条件を選出する、請求項６に記載のコンピュータプログラム。
【請求項１０】
前記第５のステップの後、かつ前記第６のステップの前に、前記第５のステップにおいて共同購買の対象となったバイヤのバイヤ端末に対して共同購買の実施に対する承認依頼を送信するステップと、
前記バイヤ端末から共同購買に対する承認応答を受信するとともに、前記承認応答のあったバイヤに関する購入希望条件にもとづいて、前記逆オークションの開始条件を更新するステップをさらに含む、請求項６ないし請求項９のいずれかに記載のコンピュータプログラム。
【請求項１１】
複数のバイヤ端末及び複数のサプライヤ端末にネットワークを介して接続され、逆オークションを実行するサーバ装置であって、
前記複数のバイヤ端末から購入希望条件を受信し、購入希望条件ＩＤとバイヤＩＤを付与して購入希望条件記憶手段に記憶する手段と、
前記購入希望条件記憶手段に記憶された購入希望条件から、共同購買の候補とする前記購入希望条件を選出する共同購買候補選出手段と、
少なくとも前記共同購買候補選出手段で選出された購入希望条件に付与されたバイヤＩＤを参照して、参照したバイヤＩＤに対応するバイヤ端末に対して共同購買への参加募集を送信する手段と、
前記参加募集に対する参加応答を、逆オークションへの参加を希望するバイヤのバイヤ端末から受信するとともに、前記参加応答のあったバイヤに関する購入希望条件の購入希望条件ＩＤを、共同購買案件ＩＤに対応付けて共同購買案件記憶手段に記憶する手段と、
共同購買案件ＩＤに対応付けられた購入希望条件ＩＤによって特定した前記購入希望条件に基づいて、逆オークションの開始条件を決定する手段と、
前記開始条件に基づいて逆オークションを実施して、落札サプライヤを決定する逆オークション実施手段と、
を含むサーバ装置。
【請求項１２】
前記購入希望条件は、少なくとも希望商品・役務の名称及び逆オークション開催希望期間を含み、
前記共同購買候補選出手段は、前記購入希望条件記憶手段に記憶された前記購入希望条件に含まれる希望商品・役務の名称及び逆オークション開催希望期間に基づいて、共同購買候補とする購入希望条件を選出する、請求項１１に記載のサーバ装置。
【請求項１３】
前記参加募集を送信する手段は、全ての前記バイヤ端末に対して前記共同購買への参加募集を送信する、請求項１１に記載のサーバ装置。
【請求項１４】
前記購入希望条件記憶手段に記憶された前記購入希望条件を複数の前記サプライヤ端末に通知する通知手段と、
逆オークションへの参加を希望するサプライヤの参加応答を前記サプライヤ端末から受信するとともに、前記参加応答のあったサプライヤを特定するサプライヤＩＤを、対応する購入希望条件に関連付けて購入希望条件記憶手段に記憶する手段をさらに有し、
前記共同購買候補選出手段は、少なくとも前記購入希望条件に含まれるサプライヤＩＤにもとづいて、共同購買候補とする前記購入希望条件を選出する、請求項１１に記載のサーバ装置。
【請求項１５】
前記共同購買案件記憶手段に記憶された購入希望条件に対応するバイヤ端末に対して共同購買の実施に対する承認依頼を送信する手段と、
前記バイヤ端末から共同購買に対する承認応答を受信するとともに、前記承認応答のあったバイヤに関する購入希望条件の購入希望条件ＩＤを、共同購買案件ＩＤに対応付けて共同購買案件記憶手段に更新記憶する手段をさらに含む、請求項１１ないし請求項１４のいずれかに記載のサーバ装置。
【発明の詳細な説明】
【技術分野】
【０００１】
本発明は、通信ネットワーク上での逆オークションシステムに関し、特に、複数のバイヤの購入希望を集約した購入希望条件に基づいて逆オークションを実施して落札サプライヤを決定する、共同購買型の逆オークションシステムに関するものである。
【背景技術】
【０００２】
インターネット上で商品・役務を調達する電子購買サービスが普及してきており、一般消費者を対象とするＢｔｏＣ型のサービスだけでなく、企業間取引を対象としたＢｔｏＢ型サービスの利用が活発となっている。このような電子購買サービスの１つに逆オークションサービスがある。
【０００３】
逆オークションサービスとは、始めにバイヤ側が購入を希望する商品の仕様、価格、数量、さらには納期、納入場所といった購入希望条件を提示してオークションを開始するものであり、オークションの過程では、バイヤの購入希望条件を満足できるサプライヤが納入価格を指定して入札を行うものである。サプライヤによって提示された品目を購入するためにバイヤが入札を行う通常のオークション（フォワードオークション）と比較して、サプライヤとバイヤの立場が逆転していることから、逆オークション（リバースオークション）と呼ばれている。企業間の取引では、個々のバイヤによって商品に対する要求仕様、納期、納入方法等の条件が異なっている場合が多いため、逆オークションは、このような企業間取引に適した取引方法であると言える。
【０００４】
一方で、逆オークションサービスにおいては、バイヤ１者の購入希望をもとに逆オークションを実施して落札サプライヤ１者を決定する１対１の逆オークションだけでなく、複数のバイヤの購入希望を集約した総調達量に対して逆オークションを実施して落札サプライヤを決定する共同購買型の逆オークション（以下、共同購買逆オークション）も行われている。共同購買逆オークションには、個別の案件毎の調達量が少ない場合でも、それらを集約することでボリュームメリットが得られるといった利点がある。このような共同購買逆オークションに関するシステムが特許文献１及び特許文献２に開示されている。
【０００５】
特許文献１に開示されている逆オークションシステムの概要は以下の通りである。まず始めに、あるサプライヤが販売価格および販売数量を指定してシステムに登録した商品情報が、バイヤに対して提示される。次にシステムは、この提示された商品の購入を希望する複数のバイヤの応募を受け付ける。続いて、この複数のバイヤの応募を逆オークションの開始条件となる共同購入希望とし、逆オークションを開始する。この共同購入希望に対するサプライヤからの入札（販売条件の提示）を受け付けて、最終的に最も良い販売条件（最低価格）を提示したサプライヤを落札者とするものである。
【０００６】
また、特許文献２に開示されている逆オークションシステムの概要は以下の通りである。始めにサプライヤが販売商品の情報をシステムに登録する。このサプライヤによって予め登録された商品リストから、バイヤが購入を希望する商品を選択して、希望数量・希望価格を端末から入力する。同一商品に対して複数のバイヤから入力された購入希望をシステムが集計し、集計された商品数量、希望価格をもって逆オークションを開始する。この複数バイヤの購入希望を集計した購入希望条件に対してサプライヤが入札を繰り返し、最終的に最低価格をつけたサプライヤが落札するというものである。
【特許文献１】特開２００１−３１９０９８号公報
【特許文献２】特開２００２−１０９２８６号公報
【発明の開示】
【発明が解決しようとする課題】
【０００７】
共同購買逆オークション取引を実施するためには次の２つの課題がある。１つは、バイヤの購入希望の発生を契機として、類似した購入希望を持っていて共同購買の実施が有利と考えられる複数のバイヤを集約して共同購買案件を発生させることが困難であるという課題である。
【０００８】
もう１つは、異なる商品・役務に対する購入希望を集約した共同購買の実施が困難であるという課題である。先に述べたように、企業間の取引では、個々のバイヤによって商品に対する要求仕様、納期、納入方法等の条件が異なっている場合が多く、このような異種商品に対して共同購買を行うための有効な方法、システムが望まれている。
【０００９】
特許文献１及び特許文献２に開示されているシステムは、あらかじめサプライヤによって共同購買対象として登録された商品に対して購入を希望する複数のバイヤを募った後で、共同購買逆オークションを行うシステムであり、バイヤの購入希望の発生を契機として、共同購買の適否を判断して共同購買案件を発生することができない。
【００１０】
また、特許文献１及び特許文献２に開示されているシステムは、サプライヤによって登録された同一商品に対して複数のバイヤが購入を希望することで共同購買となるものであるため、異なる商品・役務に対する購入希望を集約して共同購買を行うものではない。
【００１１】
本発明は上述した事情を背景としてなされたものであり、本発明の目的は、バイヤの購入希望の発生を契機として共同購買案件を発生させることができ、かつ、異種商品・役務に対する共同購買を行うことができる共同購買逆オークション方法、それをコンピュータに実行させるためのプログラム及び共同購買逆オークション装置を提供することである。
【課題を解決するための手段】
【００１２】
本発明にかかる逆オークション方法は、複数のバイヤ端末及び複数のサプライヤ端末にネットワークを介して接続されたサーバ装置による逆オークション方法であって、前記サーバ装置が、前記複数のバイヤ端末から購入希望条件を受信して購入希望条件記憶手段に記憶する第１のステップと、前記サーバ装置が、前記購入希望条件記憶手段に記憶された購入希望条件から、共同購買の候補とする購入希望条件を選出する第２のステップと、前記サーバ装置が、少なくとも前記第２のステップで選出された購入希望条件に対応するバイヤのバイヤ端末に対して共同購買への参加募集を送信する第3のステップと、前記サーバ装置が、前記第3のステップで通知した共同購買参加募集に対する参加応答を、逆オークションへの参加を希望するバイヤのバイヤ端末から受信し、共同購買案件記憶手段に記憶する第４のステップと、前記サーバ装置が、前記共同購買案件記憶手段に記憶された参加応答に基づいて、逆オークションの開始条件を決定する第５のステップと、前記サーバ装置が、前記開始条件に基づいて逆オークションを実施して、落札サプライヤを決定する第６のステップとを含むものである。これにより、バイヤの購入希望の発生を契機として共同購買案件を発生させることができ、かつ、異種商品・役務に対する共同購買逆オークションを行うことができる。
【００１３】
なお、上述の逆オークション方法においては、前記第１のステップで前記購入希望条件記憶手段に記憶される購入希望条件は、少なくとも希望商品・役務の名称及び逆オークション開催希望期間を含み、前記第２のステップにおいて、前記サーバ装置が共同購買候補を選出する際に、前記購入希望条件記憶手段に記憶された購入希望条件に含まれる希望商品・役務の名称及び逆オークション開催希望期間に基づいて、共同購買候補とする購入希望条件を選出することが望ましい。これにより、調達する商品・役務が異なっても商品分類の同一・類似等にもとづいて効率よく案件を集約して、共同購買逆オークションを行うことができる。
【００１４】
また、前記第３のステップにおいて、前記サーバ装置が共同購買への参加募集を送信する際に、全ての前記バイヤ端末に対して送信することとしてもよい。これにより、多くのバイヤに共同購買参加募集を送信することによって潜在的なバイヤの需要を喚起することができるため、参加バイヤが少ないことが予想される場合に共同購買を有効に実施できる可能性を高めることができる。
【００１５】
さらに、前記第１のステップの後、かつ前記第２のステップの前に、前記サーバ装置が、前記購入希望条件記憶手段に記憶された購入希望条件を複数の前記サプライヤ端末に通知するステップと、逆オークションへの参加を希望するサプライヤの参加応答を前記サプライヤ端末から受信するステップとをさらに有し、前記第２のステップにおいて、前記サーバ装置が、少なくとも前記サプライヤの参加応答にもとづいて、共同購買候補とする前記購入希望条件を選出することとしてもよい。これにより、バイヤの購入希望の発生を契機として共同購買案件を発生させることができ、かつ、調達する商品・役務が異なっても参加希望サプライヤの重複にもとづいて効率よく案件を集約して、共同購買逆オークションを行うことができる。
【００１６】
さらにまた、前述のいずれかの逆オークション方法において、前記第５のステップの後、かつ前記第６のステップの前に、前記サーバ装置が、前記第５のステップにおいて共同購買の対象となったバイヤのバイヤ端末に対して共同購買の実施に対する承認依頼を送信するステップと、前記サーバ装置が、前記バイヤ端末から共同購買に対する承認応答を受信するとともに、前記承認応答のあったバイヤに関する購入希望条件にもとづいて、前記逆オークションの開始条件を更新するステップをさらに含むこととしてもよい。これにより、バイヤの共同購買逆オークションへの参加意思を確認するとともに、バイヤが承諾した証跡をサーバ装置１に残すことができるため、共同購買逆オークションの信用を高めることができる。
【００１７】
本発明にかかるコンピュータプログラムは、複数のバイヤ端末及び複数のサプライヤ端末にネットワークを介して接続されたコンピュータに、逆オークションを行うための処理を実行させるコンピュータプログラムであって、前記処理は、前記複数のバイヤ端末から購入希望条件を受信して購入希望条件記憶手段に記憶する第１のステップと、前記購入希望条件記憶手段に記憶された購入希望条件から、共同購買の候補とする購入希望条件を選出する第２のステップと、少なくとも前記第２のステップで選出された購入希望条件に対応するバイヤのバイヤ端末に対して共同購買への参加募集を送信する第3のステップと、前記第3のステップで通知した共同購買参加募集に対する参加応答を、逆オークションへの参加を希望するバイヤのバイヤ端末から受信し、共同購買案件記憶手段に記憶する第４のステップと、前記共同購買案件記憶手段に記憶された参加応答に基づいて、逆オークションの開始条件を決定する第５のステップと、前記開始条件に基づいて逆オークションを実施して、落札サプライヤを決定する第６のステップとを含むものである。これにより、バイヤの購入希望の発生を契機として共同購買案件を発生させることができ、かつ、異種商品・役務に対する共同購買逆オークションを行うことができる。
【００１８】
なお、上述のコンピュータプログラムにおいては、前記第１のステップで前記購入希望条件記憶手段に記憶される購入希望条件は、少なくとも希望商品・役務の名称及び逆オークション開催希望期間を含み、前記第２のステップにおいて、共同購買候補を選出する際に、前記購入希望条件記憶手段に記憶された購入希望条件に含まれる希望商品・役務の名称及び逆オークション開催希望期間に基づいて、共同購買候補とする購入希望条件を選出することが望ましい。これにより、調達する商品・役務が異なっても商品分類の同一・類似等にもとづいて効率よく案件を集約して、共同購買逆オークションを行うことができる。
【００１９】
また、前記第３のステップにおいて、前記参加募集を送信する際に、全ての前記バイヤ端末に対して送信することとしてもよい。これにより、多くのバイヤに共同購買参加募集を送信することによって潜在的なバイヤの需要を喚起することができるため、参加バイヤが少ないことが予想される場合に共同購買を有効に実施できる可能性を高めることができる。
【００２０】
さらに、前記第１のステップの後、かつ前記第２のステップの前に、前記購入希望条件記憶手段に記憶された購入希望条件を複数の前記サプライヤ端末に通知するステップと、逆オークションへの参加を希望するサプライヤの参加応答を前記サプライヤ端末から受信するステップとをさらに有し、前記第２のステップにおいて、少なくとも前記サプライヤの参加応答にもとづいて、共同購買候補とする前記購入希望条件を選出することとしてもよい。これにより、バイヤの購入希望の発生を契機として共同購買案件を発生させることができ、かつ、調達する商品・役務が異なっても参加希望サプライヤの重複にもとづいて効率よく案件を集約して、共同購買逆オークションを行うことができる。
【００２１】
さらにまた、前述のいずれかのコンピュータプログラムにおいて、前記第５のステップの後、かつ前記第６のステップの前に、前記第５のステップにおいて共同購買の対象となったバイヤのバイヤ端末に対して共同購買の実施に対する承認依頼を送信するステップと、前記バイヤ端末から共同購買に対する承認応答を受信するとともに、前記承認応答のあったバイヤに関する購入希望条件にもとづいて、前記逆オークションの開始条件を更新するステップをさらに含むこととしてもよい。これにより、バイヤの共同購買逆オークションへの参加意思を確認するとともに、バイヤが承諾した証跡をサーバ装置１に残すことができるため、共同購買逆オークションの信用を高めることができる。
【００２２】
本発明にかかるサーバ装置は、複数のバイヤ端末及び複数のサプライヤ端末にネットワークを介して接続され、逆オークションを実行するサーバ装置であって、前記複数のバイヤ端末から購入希望条件を受信し、購入希望条件ＩＤとバイヤＩＤを付与して購入希望条件記憶手段に記憶する手段と、前記購入希望条件記憶手段に記憶された購入希望条件から、共同購買の候補とする前記購入希望条件を選出する共同購買候補選出手段と、少なくとも前記共同購買候補選出手段で選出された購入希望条件に付与されたバイヤＩＤを参照して、参照したバイヤＩＤに対応するバイヤ端末に対して共同購買への参加募集を送信する手段と、前記参加募集に対する参加応答を、逆オークションへの参加を希望するバイヤのバイヤ端末から受信するとともに、前記参加応答のあったバイヤに関する購入希望条件の購入希望条件ＩＤを、共同購買案件ＩＤに対応付けて共同購買案件記憶手段に記憶する手段と、共同購買案件ＩＤに対応付けられた購入希望条件ＩＤによって特定した前記購入希望条件に基づいて、逆オークションの開始条件を決定する手段と、前記開始条件に基づいて逆オークションを実施して、落札サプライヤを決定する逆オークション実施手段とを含むものである。これにより、バイヤの購入希望の発生を契機として共同購買案件を発生させることができ、かつ、異種商品・役務に対する共同購買逆オークションを行うことができる。
【００２３】
なお、上述のサーバ装置においては、前記購入希望条件は、少なくとも希望商品・役務の名称及び逆オークション開催希望期間を含み、前記共同購買候補選出手段は、前記購入希望条件記憶手段に記憶された前記購入希望条件に含まれる希望商品・役務の名称及び逆オークション開催希望期間に基づいて、共同購買候補とする購入希望条件を選出することが望ましい。これにより、調達する商品・役務が異なっても商品分類の同一・類似等にもとづいて効率よく案件を集約して、共同購買逆オークションを行うことができる。
【００２４】
また、前記参加募集を送信する手段は、全ての前記バイヤ端末に対して前記共同購買への参加募集を送信することとしてもよい。これにより、多くのバイヤに共同購買参加募集を送信することによって潜在的なバイヤの需要を喚起することができるため、参加バイヤが少ないことが予想される場合に共同購買を有効に実施できる可能性を高めることができる。
【００２５】
さらに、上述のサーバ装置においては、前記購入希望条件記憶手段に記憶された前記購入希望条件を複数の前記サプライヤ端末に通知する通知手段と、逆オークションへの参加を希望するサプライヤの参加応答を前記サプライヤ端末から受信するとともに、前記参加応答のあったサプライヤを特定するサプライヤＩＤを、対応する購入希望条件に関連付けて購入希望条件記憶手段に記憶する手段をさらに有し、前記共同購買候補選出手段は、少なくとも前記購入希望条件に含まれるサプライヤＩＤにもとづいて、共同購買候補とする前記購入希望条件を選出することとしてもよい。これにより、バイヤの購入希望の発生を契機として共同購買案件を発生させることができ、かつ、調達する商品・役務が異なっても参加希望サプライヤの重複にもとづいて効率よく案件を集約して、共同購買逆オークションを行うことができる。
【００２６】
さらにまた、前述のいずれかのサーバ装置において、前記共同購買案件記憶手段に記憶された購入希望条件に対応するバイヤ端末に対して共同購買の実施に対する承認依頼を送信する手段と、前記バイヤ端末から共同購買に対する承認応答を受信するとともに、前記承認応答のあったバイヤに関する購入希望条件の購入希望条件ＩＤを、共同購買案件ＩＤに対応付けて共同購買案件記憶手段に更新記憶する手段をさらに含むこととしてもよい。これにより、バイヤの共同購買逆オークションへの参加意思を確認するとともに、バイヤが承諾した証跡をサーバ装置１に残すことができるため、共同購買逆オークションの信用を高めることができる。
【発明の効果】
【００２７】
本発明により、バイヤの購入希望の発生を契機として共同購買案件を発生させることができ、かつ、異種商品・役務に対する共同購買を行うことができる共同購買逆オークションシステム、共同購買逆オークション装置、共同購買逆オークション方法、及びそれをコンピュータに実行させるためのプログラムを提供することができる。
【発明を実施するための最良の形態】
【００２８】
発明の実施の形態１．
図１は、本実施の形態にかかる逆オークションシステムの全体構成図である。図１に示すように、本システムは、サーバ装置１と１台以上のバイヤ端末２および１台以上のサプライヤ端末３を備え、これらがネットワーク４を介して接続されたシステムである。
【００２９】
サーバ装置１は、バイヤ端末２から送られてくる購入希望条件や、サプライヤ端末３から送られてくる入札情報等を収集・管理して逆オークションを実施する装置である。バイヤ端末２は、逆オークションサービスの利用者であるバイヤが使用する端末である。他方、サプライヤ端末３は、逆オークションサービスの利用者であるサプライヤが使用する端末である。ここでバイヤとは、逆オークションサービスを利用して商品・役務の調達を望む買い手であり、サプライヤとは、逆オークションサービスを利用して商品・役務等の提供を望む売り手である。なお、以下の説明では、逆オークションでの調達対象が商品である場合を例にとって説明する。
【００３０】
図１を用いて本実施の形態にかかる逆オークションシステムの動作の概要を説明する。本システムではまず、複数のバイヤ端末２からサーバ装置１に対して、逆オークションでの調達を希望する商品・役務に関する購入希望条件が送信される。購入希望条件は、調達を希望する希望商品、希望数量、希望単価及び逆オークション開催希望期間を含む情報である。
【００３１】
次に、サーバ装置１は受信した購入希望条件を相互に比較し、希望商品や逆オークションの開催希望時期購入希望条件が類似した購入希望条件を選出して、これらの選出された購入希望条件を送信してきたバイヤ端末２に対して共同購買への参加募集を通知する。
共同購買への参加を希望するバイヤは、参加募集に対する参加応答をバイヤ端末２からサーバ装置１に対して送信する。前記参加応答を受け取ったサーバ装置１は、共同購買への参加応答のあったバイヤの購入希望条件に基づき、希望商品、希望数量、希望単価、逆オークション開催希望期間等を集約して共同購買逆オークションの開始条件（以下、共同購買開始条件）を決定する。
【００３２】
続いて、サーバ装置１は、決定した共同購買開始条件をサプライヤ端末３に送信してサプライヤに開示し、逆オークションを開催する。逆オークションではサプライヤ端末３から入札を受け付けて、最終的に落札サプライヤを決定する。これにより、バイヤの購入希望の発生を契機として共同購買案件を発生させた共同購買逆オークションを実施することができる。
【００３３】
次に、サーバ装置１のハードウェア構成を図２に示す。サーバ装置１には典型的なコンピュータ・システムが利用可能であり、例えば図に示すように、キーボード、マウス等の入力装置１１、モニタ、プリンタ等の出力装置１２、これらの入出力を制御する入出力インタフェース１３、ＬＡＮ、電話網、パケット交換網等のネットワークと接続してデータの送受信を行う通信インタフェース１４を備えている。さらに、演算処理を実行するＣＰＵ１５、内部メモリ１６及び外部記憶装置１７を備えている。外部記憶装置１７としては、例えば、ハードディスク装置を使用することができる。
【００３４】
ＣＰＵ１５は、制御プログラムに基づいて、サーバ装置１内の各種処理を実行する中央制御装置である。ここで、制御プログラムとは、サーバ装置１に関する処理をＣＰＵ１５により実行させるためのプログラムであり、内部メモリ１６又は外部記憶装置１７に格納されている。これらのプログラムは、遠隔に設けられた記憶手段から通信網を介して取得するようにしてもよい。
【００３５】
外部記憶装置１７には、逆オークション実行プログラム１７１が格納されており、バイヤ情報テーブル１７２、サプライヤ情報テーブル１７３、購入希望条件テーブル１７４及び共同購買案件テーブル１７５が記憶される。
【００３６】
ここで、逆オークション実行プログラム１７１は、コンピュータ・システムに本発明にかかる逆オークション方法の手順を実行させるためのプログラムであり、内部メモリ１６上に読み出され、ＣＰＵ１５上で実行される。ＣＰＵ１５が逆オークション実行プログラム１７１に従って動作することによって、コンピュータ・システムが、本実施の形態にかかるサーバ装置１として動作することができる。
【００３７】
バイヤ情報テーブル１７２には、逆オークションサービスの利用者であるバイヤに関する情報が記憶される。バイヤ情報テーブル１７２の一例を図３に示す。図のように、具体的には、各バイヤの名称、バイヤ毎に割り当てられるバイヤＩＤ、バイヤの連絡先を含む情報が記憶されている。バイヤ情報は、例えば、入力装置１１を介して操作者により入力され、入出力インタフェース１３を介して内部メモリ１６もしくは外部記憶装置１７に保存される。なお、バイヤ情報は、遠隔に設けられた記憶手段から通信インタフェース１４を介して取得してもよいし、バイヤ端末２においてバイヤ自身によって入力されたデータを通信インタフェース１４経由で受信して取得してもよい。
【００３８】
サプライヤ情報テーブル１７３には、逆オークションサービスの利用者であるサプライヤに関する情報が記憶される。サプライヤ情報テーブル１７３の一例を図４に示す。図のように、具体的には、各サプライヤの名称、サプライヤ毎に割り当てられるサプライヤＩＤ、サプライヤの連絡先を含む情報が記憶されている。サプライヤ情報は、例えば、入力装置１１を介して操作者により入力され、入出力インタフェース１３を介して内部メモリ１６もしくは外部記憶装置１７に保存される。なお、サプライヤ情報は、遠隔に設けられた記憶手段から通信インタフェース１４を介して取得してもよし、サプライヤ端末３においてサプライヤ自身によって入力されたデータを通信インタフェース１４経由で受信して取得してもよい。
【００３９】
購入希望条件テーブル１７４には、バイヤ端末２から送信された購入希望条件に含まれる情報が記憶される。電子購買サービス利用情報テーブル１７４の一例を図５に示す。図のように、具体的には、購入希望条件毎に付与される購入希望条件ＩＤと、調達を希望するバイヤのバイヤＩＤ、調達希望商品の商品分類、商品名、詳細要件、調達希望数量、調達希望単価及び逆オークション開催希望期間（図ではＲＡ開催希望期間）を含む情報が対応付けて記憶されている。さらに調達希望商品の購入実績単価、共同購買の希望有無、他のバイヤへの情報開示範囲の指定等を含めても良い。購入希望条件は、例えば、調達を希望するバイヤによってバイヤ端末２から入力されたものがバイヤ端末２によってサーバ装置１に対して送信され、通信インタフェース１４を経由で受信して外部記憶装置１７に保存される。
【００４０】
共同購買案件テーブル１７５には、共同購買の実施に必要となる情報が関連付けて記憶される。共同購買案件テーブル１７５の一例を図６に示す。図のように、具体的には、共同購買案件毎に付与される共同購買ＩＤと、共同購買に関連する購入希望条件ＩＤ、逆オークション開催日時、開始価格を含む情報が対応付けて記憶されている。なお、共同購買案件情報は、後述する共同購買案件を生成する処理を実行した結果として、外部記憶装置１７に保存されるものである。
【００４１】
バイヤ端末２は、例えばパーソナルコンピュータ（ＰＣ）であり、ＣＰＵ、ＲＯＭ、ＲＡＭ、ハードディスク、ディスプレイ、キーボード、マウス等を有している。サーバ装置１とのデータ送受信は、例えば、ハードディスクに格納されたＷｅｂブラウザプログラムを実行することにより、ＴＣＰ／ＩＰ、ＨＴＴＰプロトコルを利用して行えばよい。
【００４２】
サプライヤ端末３は、バイヤ端末２と同様に、例えばパーソナルコンピュータ（ＰＣ）であり、ＣＰＵ、ＲＯＭ、ＲＡＭ、ハードディスク、ディスプレイ、キーボード、マウス等を有し、サーバ装置１とのデータ送受信は、例えば、ハードディスクに格納されたＷｅｂブラウザプログラムを実行することによって行うことができる。
【００４３】
最後にネットワーク４は、インターネット、公衆網、専用線、移動体通信網等の通信網である。
【００４４】
続いて、本実施の形態にかかる逆オークション実行フローについて図７を用いて説明する。なお、ここで説明するサーバ装置１の処理は逆オークション実行プログラム１７１に従って、ＣＰＵ１５が他のハードウェア構成と共同で動作することによって実行されるものである。
【００４５】
まずバイヤ端末２がバイヤによる購入希望条件の入力を受け付けて、購入希望条件をサーバ装置１に対して送信する（ステップＳ７０１）。図１１にバイヤ端末２に表示される購入希望条件の受け付け画面例を示す。図中の「分類」は、共同購買の商品の商材分類に相当するものであり、この例では商品「ハロゲンランプ」に対して分類「ランプ類」が選択されている。「案件」には、商品についての詳細仕様を記載することができる。「実績数量」及び「実績単価」は、バイヤのこれまでの購入実績の情報であり、逆オークションの開始条件の決定等に使用される。「希望数量」は逆オークションによって購入を希望する商品数量、「希望単価」は逆オークションでの購入希望単価である。「開催希望日」は逆オークションの開催希望する期間である。その他に、共同購買の希望有無や、共同購買時に他のバイヤに公開する情報の範囲等の入力を受け付けることとしてもよい。
【００４６】
次にステップＳ７０２では、サーバ装置１がバイヤ端末２から送信された購入希望条件を通信インタフェース１３にて受信し、外部記憶装置１７の購入希望条件テーブル１７４に記憶する。続くステップＳ７０３は、ステップＳ７０２で受信した複数の購入希望条件から共同購買に適したものを共同購買候補として選出するステップである。ここで行われる共同購買候補選出ルーチンの一例を図８のフロー図を用いて説明する。本実施の形態にかかる共同購買候補選出ルーチンではまず、ステップＳ８０１において、外部記憶装置１７の購入希望条件テーブル１７４に保存された各購入希望条件の「商品分類」を比較して同一の商品分類（例えばランプ類）を持つ購入希望条件を選出する（ステップＳ８０１）。さらに、ステップＳ８０１で選出された購入希望条件の「ＲＡ開催希望」を比較して、逆オークション開催希望期間が互いに重なっている購入希望条件をされに絞り込んで選出する（ステップＳ８０２）。なお、ステップＳ８０１とＳ８０２はどちらを先に実行しても構わない。
【００４７】
このようにして選出された購入希望条件は、商品分類が同一であることから、同一のサプライヤからの調達によって一括調達によるボリュームメリットを得られる可能性が高く、かつ調達時期も合致するものである。このような方法によって、必ずしも同一商品の調達でなくとも共同購買に適した調達案件を効率よく集約することが可能となる。
【００４８】
図７に戻ってステップＳ７０４では、ステップＳ７０３で選出された購入希望条件を持つバイヤを購入希望条件テーブル１７４のバイヤＩＤから特定して、共同購買への参加募集を送信する。バイヤ端末２は、受信した参加募集をディスプレイ等に表示し（ステップＳ７０５）、共同購買の希望有無の入力を受け付けて、参加希望応答をサーバ装置１に送信する（ステップＳ７０６）。サーバ装置１はバイヤ端末２から参加希望応答を受信し（ステップＳ７０７）、参加希望応答のあったバイヤの購入希望条件を最終的な共同購買の対象に決定する。さらに、逆オークション開始価格と逆オークション開催日時を決定して、これらを共同購買案件テーブル１７５に仮記憶するとともに、共同購買に参加するバイヤのバイヤ端末２に共同購買案件の承認依頼を送信する（ステップＳ７０８）。なお、逆オークション開始価格は、例えば、バイヤが入力した実績価格と希望数量の積を合計したものとすればよく、逆オークション開催日時は、参加バイヤの逆オークション開催希望期間の共通日から任意に設定することとすればよい。バイヤ端末２は、受信した共同購買案件の承認依頼をディスプレイ等に表示して（ステップＳ７０９）、バイヤの承認を受け付け、承認応答をサーバ装置１に対して送信し（ステップＳ７１０）、サーバ装置は承認応答を受信した後に共同購買案件として確定して共同購買案件テーブル１７５に記憶する（ステップＳ７１１）。
【００４９】
次に、サーバ装置１は、共同購買に参加してもらうサプライヤを募集するため、参加募集通知をサプライヤ端末３に送信する（ステップＳ７１２）。このとき、共同購買案件テーブル１７５に記憶されている逆オークション開催日時、開始価格および購入希望条件ＩＤで関連付けられた購入希望条件テーブル１７４に記憶されている希望商品、詳細要件、希望数量等の逆オークション案件に関する情報をあわせてサプライヤ端末３に送信する。なお、これらの逆オークション案件に関する情報は、参加募集通知を確認したサプライヤが、サプライヤ端末３を介してサーバ装置１にアクセスし、閲覧することとしてもよい。サプライヤ端末３は、受信した参加募集通知をディスプレイ等に表示して（ステップＳ７１３）、サプライヤの参加希望応答を受け付け、サーバ装置１に対して送信し（ステップＳ７１４）、サーバ装置は参加希望応答を受信したサプライヤを共同購買案件テーブル１７５に仮記憶する（ステップＳ７１５）。
【００５０】
続いてサーバ装置１は、参加希望応答のあったサプライヤに対する承認依頼を共同購買に参加するバイヤのバイヤ端末２に送信し（Ｓ７１６）、バイヤ端末２はこれをディスプレイ等に表示してバイヤの承認応答を受け付けてサーバ装置１に送信する（ステップＳ７１７及びＳ７１８）。サーバ装置は承認応答を受信した時点で参加サプライヤを確定して共同購買案件テーブル１７５に記憶する（ステップＳ７１９）。
以上のフローにしたがって共同購買逆オークションの開始条件が確定する。サーバ装置１は、この確定した開始条件をバイヤ端末２及びサプライヤ端末３に送信し（ステップＳ７２０及びＳ７２１）、共同購買案件テーブル１７５記憶された逆オークション開催日時にしたがって逆オークションを開催して、落札サプライヤを決定する（ステップＳ７２２乃至Ｓ７２５）。
【００５１】
上述した説明では、逆オークションの調達対象が商品である場合について述べたが、調達対象が人材派遣や委託業務といったサービス（役務）である場合も、商品の場合と同様に実施可能である。以上に説明した動作フローにしたがって、サーバ装置１、バイヤ端末２、サプライヤ端末３が動作することによって、バイヤの購入希望の発生を契機として共同購買案件を発生させることができ、かつ、調達する商品・役務が異なっても商品・役務分類の同一・類似等にもとづいて効率よく案件を集約して、共同購買逆オークションを行うことができる。
【００５２】
なお、上述したフローでは、購入希望条件の類似するバイヤを選出して共同購買参加募集を送信したが、全ての登録バイヤのバイヤ端末２に共同購買参加募集を送信することとしてもよい。この場合は、例えば、参加を希望するバイヤの応答を受け付ける際に、バイヤ端末２に対して図１２に示すような画面を表示して、購入希望条件の入力を促すよう構成すればよい。図のように、あらかじめ共同購買ＩＤと対応付けておくことによって、入力された購入希望条件は、サーバ装置１の外部記憶装置１７の購入希望条件テーブル１７４に新規な購入希望条件として記憶されるとともに、共同購買案件テーブル１７５と関連付けて記憶される。これにより、多くのバイヤに共同購買参加募集を送信することによって潜在的なバイヤの需要を喚起することができるため、参加バイヤが少ないことが予想される場合に共同購買を有効に実施できる可能性を高めることができる。
【００５３】
また、本実施の形態では、逆オークション実行プログラム１７１がハードディスク等の外部記憶装置１７に格納される例を示したが、当該プログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等を含む。また、通信媒体には、電話回線等の有線通信媒体、マイクロ波回線等の無線通信媒体等を含み、インターネットも含まれる。
【００５４】
発明の実施の形態２．
本実施の形態にかかる逆オークションシステムは、逆オークション処理フローにおいて、サーバ装置１が、バイヤ端末２から購入希望条件を受信した後、購入希望条件選出ルーチンより先にサプライヤに対して参加募集を行い、サプライヤの参加応答を受け付けた後で、参加希望サプライヤの重複に基づいて購入希望条件選出ルーチンを実施する点が特徴である。この点が、図７及び図８を用いて説明した発明の実施の形態１にかかる逆オークション処理フローと異なっている。以下では、図９及び図１０を用いて本実施の形態にかかる逆オークション処理フローについて説明する。なお、システム全体概要およびサーバ装置１、バイヤ端末２、サプライヤ端末３の構成は、発明の実施の形態１と同様であるため説明を省略する。
【００５５】
まず、発明の実施の形態１と同様に、バイヤ端末２がバイヤによる購入希望条件の入力を受け付けて、入力された購入希望条件をサーバ装置１に送信し（ステップＳ９０１）、サーバ装置１はバイヤ端末２から送信された購入希望条件を通信インタフェース１３にて受信し、外部記憶装置１７の購入希望条件テーブル１７４に記憶する（ステップＳ９０２）。
【００５６】
次に、本実施の形態では、購入希望条件テーブル１７４に保存された購入希望条件を参照して、購入希望条件に対する逆オークションへの参加募集通知をサプライヤ端末３に送信する（ステップＳ９０３）。このとき、購入希望条件テーブル１７４に記憶されている希望商品、詳細要件、希望数量、逆オークション開催希望期間、および実績単価と希望数量の積で決定した逆オークション開始価格等の逆オークション案件に関する情報をあわせてサプライヤ端末３に送信する。なお、これらの逆オークション案件に関する情報は、参加募集通知を確認したサプライヤが、サプライヤ端末３を介してサーバ装置１にアクセスし、閲覧することとしてもよい。サプライヤ端末３は、受信した参加募集通知をディスプレイ等に表示して（ステップＳ９０４）、サプライヤの参加希望応答を受け付けてサーバ装置１に対して送信し（ステップＳ９０５）、サーバ装置１は参加希望応答をサプライヤ端末３から受信する（ステップＳ９０６）。ここで、参加応答を受信したサプライヤのサプライヤＩＤを購入希望条件テーブル１７４に購入希望条件ＩＤと関連付けて記憶するとよい。
【００５７】
次のステップＳ９０７は、ステップＳ９０２で受信した複数の購入希望条件から共同購買に適したものを共同購買候補として選出する。ここで行われる共同購買候補選出ルーチンの一例を図１０のフロー図を用いて説明する。本実施の形態にかかる共同購買候補選出ルーチンではまず、先のステップＳ９０６において、外部記憶装置１７の購入希望条件テーブル１７４に追加保存された参加希望サプライヤのサプライヤＩＤが重複する購入希望条件を選出する（ステップＳ１００１）。さらに、ステップＳ１００１で選出された購入希望条件の「ＲＡ開催希望」を比較して、逆オークション開催希望期間が互いに重なっている購入希望条件をされに絞り込んで選出する（ステップＳ１００２）。
【００５８】
このようにして選出された購入希望条件は、逆オークションへの参加を希望するサプライヤが同一であることから、共同購買を実施して一括調達することによってボリュームメリットを得られる可能性が高いものであり、かつ調達時期も合致するものである。このような方法によって、必ずしも同一商品の調達でなくとも参加希望バイヤの重複する調達案件を効率よく集約することが可能となる。
【００５９】
Ｓ９０８以降の、共同購買に参加するバイヤを決定し（ステップＳ９０８からＳ９１１）、共同購買逆オークションの実施日時、参加バイヤ、参加サプライヤを確定し（ステップＳ９１２からＳ９１５）、逆オークションを開催して落札サプライヤを決定する（ステップＳ９１６からＳ９２１）までの手順は、発明の実施の形態１の対応する手順と同等であるため、説明を省略する。
【００６０】
以上に説明した動作フローにしたがって、サーバ装置１、バイヤ端末２、サプライヤ端末３が動作することによって、バイヤの購入希望の発生を契機として共同購買案件を発生させることができ、かつ、調達する商品・役務が異なっても参加希望サプライヤの重複にもとづいて効率よく案件を集約して、共同購買逆オークションを行うことができる。
【００６１】
発明の実施の形態３．
本実施の形態では、発明の実施の形態２で説明した共同購買候補選出ルーチンをより詳細化した例について説明する。図１３に本実施の形態にかかる共同購買候補選出ルーチンの処理フローを示す。本実施形態における共同購買候補選出ルーチンでは、共同購買に対する適合具合を数値化した「適合度」を定義して、この適合度をもとに購入希望条件の組み合わせを求め、得られた組み合わせに含まれる購入希望条件を共同購買候補とするものである。
【００６２】
まず、ステップＳ１３０１において、個々の「現在の購入希望条件」の適合度を計算する。本ルーチンで実行するループ処理の最初の段階では、組み合わせる前の個々の購入希望条件が「現在の購入希望条件」となる。ここで、適合度は例えば、共同購買希望の有無、購買金額ボリューム及び参加可能サプライヤ数の３つをパラメタとし、それぞれ１０点満点、合計３０点満点とすることで定義することができる。さらに各パラメタの点数化は、例えば、共同購買希望の有無については、希望有りの場合１０点、希望無しの場合０点とし、購買金額ボリュームは、組み合わせた購入希望条件の数が２つなら５点、３つなら７．５点、４つ以上の場合１０点、単独なら０点とし、参加可能サプライヤ数は、購入希望条件を組み合わせた場合に参加可能なサプライヤ数（ｎｃ）を単独の場合に参加可能であったサプライヤ数（ｎ１）で割ったサプライヤ数の減少比（ｎｃ／ｎ１）に１０を掛けたもの（（ｎｃ／ｎ１）×１０）をパラメタとすればよい。
【００６３】
次にステップＳ１３０２では、現在の購入希望条件のいずれか２つを組み合わせた場合の適合度を求める。これは、共同購買として集約した場合を仮定して適合度を試算することに相当するものである。
続いて、ステップＳ１３０３では、ステップＳ１３０２で求めた組み合わせた場合の適合度からステップＳ１３０１で求めた個々の適合度を引算した差を求める。ステップＳ１３０４ではステップＳ１３０３で求めた適合度の差による条件判定を行って、適合度の差が０より大きい場合には組み合わせ後の購入希望条件のうち最大のものを「現在の購入希望条件」とする更新を行ってステップＳ１３０１に戻る（ステップＳ１３０５）。一方、適合度の差が０以下の場合は、このときの「現在の購入希望条件」のうち、組み合わされた購入希望条件を共同購買候補として選出し、個々の購入希望条件のままのものは、共同購買としない単独購買案件として、共同購買候補選出ルーチンを終了する。
【００６４】
本実施の形態にかかる共同購買候補選出ルーチンを実施した例について、図１４ないし図１６を用いて説明する。図１４は、本ルーチンのループの第１順目を示している。図１４（ａ）は、個々の購入希望条件をまとめた表であり、バイヤ６者（バイヤＡ〜バイヤＦ）
の購入希望条件についての共同購買の希望、逆オークション開催希望期間、参加可能サプライヤの一覧である。図１４（ｂ）は、ステップＳ１３０１に相当する現在の購入希望条件に対する適合度（ここでは個々の購入希望条件の適合度）を計算したものである。ここで、「実施可能性」とは逆オークション開催希望期間の重複している場合に共同購買実施可能性有り（○）とする項目である。図１４（ｄ）は、ステップＳ１３０２に相当する現在の購入希望条件を組み合わせた場合の適合度を求めたものであり、図１４（ｃ）は、組み合わせた場合の適合度を求める際の途中経過を示している。図１４（ｅ）は、ステップＳ１３０３に相当する適合度の差を求めたものである。この例では、案件Ａと案件Ｄを組み合わせた場合の適合度の差が最大（２８点）であるため、案件Ａと案件Ｄを組み合わせたものを「現在の購入希望条件」とする更新を行って、第２順目を行う。
【００６５】
図１５は、本ルーチンのループの第２順目を示しており、図１４と同様に、図１５（ｂ）はステップＳ１３０１に相当する現在の購入希望条件に対する適合度、図１５（ｃ）は組み合わせた場合の適合度を求める際の途中経過、図１４（ｄ）はステップＳ１３０２に相当する現在の購入希望条件を組み合わせた場合の適合度、図１４（ｅ）は、ステップＳ１３０３に相当する適合度の差である。第２順目でも図１５（ｅ）に示す適合度の差がゼロより大きいものが存在するため、このうち最大の組み合わせである案件Ｅと案件Ｆを組み合わせたものを「現在の購入希望条件」とする更新を行って、第３順目を行う。
【００６６】
図１６は、本ルーチンのループの第３順目を示しており、図１４又は図１５と同様に、図１６（ｂ）はステップＳ１３０１に相当する現在の購入希望条件に対する適合度、図１６（ｃ）は組み合わせた場合の適合度を求める際の途中経過、図１６（ｄ）はステップＳ１３０２に相当する現在の購入希望条件を組み合わせた場合の適合度、図１６（ｅ）は、ステップＳ１３０３に相当する適合度の差である。第３順目では、図１６（ｅ）に示す適合度の差がゼロより大きいものが存在しないため、このときの組み合わせを共同購買候補に選出して本ルーチンを終了する。具体的には、案件Ａと案件Ｄを共同購買候補とし、案件Ｅと案件Ｆを別の共同購買候補とし、案件Ｂ及び案件Ｃはそれぞれ単独購買として流量することになる。
【００６７】
このように共同購買候補を決定する際のパラメタを数値化して評価することによって、より詳細に共同購買に適した案件を選出することが可能となる。
【００６８】
その他の実施の形態．
上述した発明の実施の形態における共同購買候補選出ルーチンは一例であって、その他様々な変形が可能である。例えば、発明の実施の形態１にかかる共同購買候補選出ルーチンでは、商品分類が類似する範囲の購入希望条件を選出することとしてもよいし、商品分類にかかわらず逆オークション開催希望期間が互いに重なっている全ての購入希望条件を選出することとしてもよい。さらに、購入希望条件の項目を含む共同購買候補の選出に有効な項目（参加サプライヤの重複、逆オークション開催希望期間の重複、合計調達数量等）を数値化し、購入希望条件の組み合わせによる共同購買の適合具合をそれぞれ評価して、最適な組み合わせを選び出すこととしてもよい。最適な組み合わせを選出するためには、最適化手法として知られている様々な方法が利用可能である。
【図面の簡単な説明】
【００６９】
【図１】発明の実施の形態１にかかる逆オークションシステムの全体構成図である。
【図２】サーバ装置１の構成図である。
【図３】バイヤ情報テーブル１７２の一例である。
【図４】サプライヤ情報テーブル１７３の一例である。
【図５】購入希望条件テーブル１７４の一例である。
【図６】共同購買案件テーブル１７５の一例である。
【図７】発明の実施の形態１にかかる逆オークションシステムの処理フロー図である。
【図８】発明の実施の形態１にかかる共同購買候補選出ルーチンの処理フロー図である。
【図９】発明の実施の形態２にかかる逆オークションシステムの処理フロー図である。
【図１０】発明の実施の形態２にかかる共同購買候補選出ルーチンの処理フロー図である。
【図１１】購入希望条件受け付け画面の一例である。
【図１２】購入希望条件受け付け画面の一例である。
【図１３】発明の実施の形態３にかかる共同購買候補選出ルーチンの処理フロー図である。
【図１４】発明の実施の形態３にかかる共同購買候補選出ルーチンの具体例である。
【図１５】発明の実施の形態３にかかる共同購買候補選出ルーチンの具体例である。
【図１６】発明の実施の形態３にかかる共同購買候補選出ルーチンの具体例である。
【符号の説明】
【００７０】
１  サーバ装置
２  バイヤ端末
３  サプライヤ端末
４  ネットワーク
１４  通信インタフェース
１７  外部記憶装置
１７１  逆オークション実行プログラム
１７４  購入希望条件テーブル
１７５  共同購買案件テーブル
【図１】
2005301782.tif 000003
【図２】
2005301782.tif 000004
【図３】
2005301782.tif 000005
【図４】
2005301782.tif 000006
【図５】
2005301782.tif 000007
【図６】
2005301782.tif 000008
【図７】
2005301782.tif 000009
【図８】
2005301782.tif 000010
【図９】
2005301782.tif 000011
【図１０】
2005301782.tif 000012
【図１１】
2005301782.tif 000013
【図１２】
2005301782.tif 000014
【図１３】
2005301782.tif 000015
【図１４】
2005301782.tif 000016
【図１５】
2005301782.tif 000017
【図１６】
2005301782.tif 000018